(57)【要約】【課題】具備された機能に制限なく、すべての携帯電話で内線電話サービスを受ける。【解決手段】携帯電話から発信があった際、呼制御部１０２が、あらかじめ設定された専用電話番号を管理するデータ管理部１０１へ専用電話番号を要求し、データ管理部１０１から通知されてきた専用電話番号を用いて、携帯電話と携帯電話の発信先とを接続する。【選択図】図２
2011120136.tif 000002
【特許請求の範囲】
【請求項１】
所定の範囲に位置する携帯電話を制御する無線基地局であって、
あらかじめ設定された専用電話番号を管理するデータ管理部と、
前記携帯電話から発信があった際、前記データ管理部へ前記専用電話番号を要求する呼制御部とを有し、
前記データ管理部は、前記呼制御部から前記専用電話番号が要求されたとき、前記専用電話番号を前記呼制御部へ通知し、
前記呼制御部は、前記データ管理部から通知されてきた専用電話番号を用いて、前記携帯電話と該携帯電話の発信先とを接続する無線基地局。
【請求項２】
請求項１に記載の無線基地局において、
前記データ管理部は、複数の前記専用電話番号と、該複数の専用電話番号それぞれが現在使用中であるか否かを示す情報とを対応付けて管理し、前記呼制御部から前記専用電話番号が要求されたとき、前記複数の専用電話番号の中から現在使用中ではない専用電話番号を前記呼制御部へ通知することを特徴とする無線基地局。
【請求項３】
請求項２に記載の無線基地局において、
前記呼制御部は、前記データ管理部から通知されてきた専用電話番号が複数ある場合、その中から任意の１つの専用電話番号を選択し、該選択した専用電話番号を用いて、前記携帯電話と該携帯電話の発信先とを接続することを特徴とする無線基地局。
【請求項４】
請求項２に記載の無線基地局において、
前記データ管理部は、前記呼制御部から前記専用電話番号が要求されたとき、前記複数の専用電話番号の中に現在使用中ではない専用電話番号がない場合、その旨を前記呼制御部へ通知し、
前記呼制御部は、前記データ管理部から現在使用中ではない専用電話番号ない旨が通知されてきた場合、前記携帯電話へ発信ができない旨を通知することを特徴とする無線基地局。
【請求項５】
請求項１または請求項２に記載の無線基地局において、
前記呼制御部は、前記携帯電話にあらかじめ付与されている固有の電話番号を前記専用電話番号に書き換え、該書き換えた専用電話番号を用いて、前記携帯電話と該携帯電話の発信先とを接続することを特徴とする無線基地局。
【請求項６】
所定の範囲に位置する携帯電話を制御する無線基地局を用いた通信方法であって、
あらかじめ設定された専用電話番号を管理する処理と、
前記携帯電話から発信があった際、前記専用電話番号を用いて、前記携帯電話と該携帯電話の発信先とを接続する処理とを有する通信方法。
【請求項７】
請求項６に記載の通信方法において、
複数の前記専用電話番号と、該複数の専用電話番号それぞれが現在使用中であるか否かを示す情報とを対応付けて管理する処理と、
前記携帯電話から発信があった際、前記複数の専用電話番号の中から現在使用中ではない専用電話番号を用いて、前記携帯電話と該携帯電話の発信先とを接続する処理とを有する通信方法。
【請求項８】
請求項７に記載の通信方法において、
前記携帯電話から発信があった際、前記現在使用中ではない専用電話番号が複数ある場合、その中から任意の１つの専用電話番号を選択する処理と、
前記選択した専用電話番号を用いて、前記携帯電話と該携帯電話の発信先とを接続する処理とを有することを特徴とする通信方法。
【請求項９】
請求項７に記載の通信方法において、
前記携帯電話から発信があった際、前記複数の専用電話番号の中に現在使用中ではない専用電話番号がない場合、前記携帯電話へ発信ができない旨を通知する処理を有することを特徴とする通信方法。
【請求項１０】
請求項６または請求項７に記載の通信方法において、
前記携帯電話から発信があった際、前記携帯電話にあらかじめ付与されている固有の電話番号を前記専用電話番号に書き換える処理と、
前記書き換えた専用電話番号を用いて、前記携帯電話と該携帯電話の発信先とを接続する処理とを有することを特徴とする通信方法。
【請求項１１】
所定の範囲に位置する携帯電話を制御する無線基地局に、
あらかじめ設定された専用電話番号を管理する手順と、
前記携帯電話から発信があった際、前記専用電話番号を用いて、前記携帯電話と該携帯電話の発信先とを接続する手順とを実行させるためのプログラム。
【請求項１２】
請求項１１に記載のプログラムにおいて、
複数の前記専用電話番号と、該複数の専用電話番号それぞれが現在使用中であるか否かを示す情報とを対応付けて管理する手順と、
前記携帯電話から発信があった際、前記複数の専用電話番号の中から現在使用中ではない専用電話番号を用いて、前記携帯電話と該携帯電話の発信先とを接続する手順とを実行させるためのプログラム。
【請求項１３】
請求項１２に記載のプログラムにおいて、
前記携帯電話から発信があった際、前記現在使用中ではない専用電話番号が複数ある場合、その中から任意の１つの専用電話番号を選択する手順と、
前記選択した専用電話番号を用いて、前記携帯電話と該携帯電話の発信先とを接続する手順とを実行させるためのプログラム。
【請求項１４】
請求項１２に記載のプログラムにおいて、
前記携帯電話から発信があった際、前記複数の専用電話番号の中に現在使用中ではない専用電話番号がない場合、前記携帯電話へ発信ができない旨を通知する手順を実行させるためのプログラム。
【請求項１５】
請求項１１または請求項１２に記載のプログラムにおいて、
前記携帯電話から発信があった際、前記携帯電話にあらかじめ付与されている固有の電話番号を前記専用電話番号に書き換える手順と、
前記書き換えた専用電話番号を用いて、前記携帯電話と該携帯電話の発信先とを接続する手順とを実行させるためのプログラム。
【発明の詳細な説明】
【技術分野】
【０００１】
本発明は、所定の範囲に位置する携帯電話を制御する無線基地局、無線基地局を用いた通信方法およびプログラムに関する。
【背景技術】
【０００２】
一般的に、内線電話を使った通信システムでは、分配する装置及び、各場所に電話を受ける電話機及び子機等が必要となってしまう。
【０００３】
そこで、移動可能な携帯電話を使用した内線電話サービスが考えられる。近年では、外線通話機能と内線通話機能との２つの通話機能を有する携帯電話が普及してきている（例えば、特許文献１参照。）。
【先行技術文献】
【特許文献】
【０００４】
【特許文献１】特開平７−７５１７０号公報
【発明の概要】
【発明が解決しようとする課題】
【０００５】
しかしながら、上述したような携帯電話を使用した内線電話サービスを受けるには、その機能に対応している限られた携帯電話を使用しなければならないという問題点がある。
【０００６】
本発明の目的は、上述した課題を解決する無線基地局、通信方法およびプログラムを提供することである。
【課題を解決するための手段】
【０００７】
本発明の無線基地局は、
所定の範囲に位置する携帯電話を制御する無線基地局であって、
あらかじめ設定された専用電話番号を管理するデータ管理部と、
前記携帯電話から発信があった際、前記データ管理部へ前記専用電話番号を要求する呼制御部とを有し、
前記データ管理部は、前記呼制御部から前記専用電話番号が要求されたとき、前記専用電話番号を前記呼制御部へ通知し、
前記呼制御部は、前記データ管理部から通知されてきた専用電話番号を用いて、前記携帯電話と該携帯電話の発信先とを接続する。
【０００８】
また、本発明の通信方法は、
所定の範囲に位置する携帯電話を制御する無線基地局を用いた通信方法であって、
あらかじめ設定された専用電話番号を管理する処理と、
前記携帯電話から発信があった際、前記専用電話番号を用いて、前記携帯電話と該携帯電話の発信先とを接続する処理とを有する。
【０００９】
また、本発明のプログラムは、
所定の範囲に位置する携帯電話を制御する無線基地局に実行させるためのプログラムであって、
あらかじめ設定された専用電話番号を管理する手順と、
前記携帯電話から発信があった際、前記専用電話番号を用いて、前記携帯電話と該携帯電話の発信先とを接続する手順とを実行させる。
【発明の効果】
【００１０】
以上説明したように、本発明においては、具備された機能に制限なく、すべての携帯電話で内線電話サービスを受けることができる。
【図面の簡単な説明】
【００１１】
【図１】本発明の無線基地局が設けられた通信システムの一形態を示す図である。
【図２】図１に示した無線基地局の内部構成の一例を示す図である。
【図３】図２に示したデータ管理部が管理する専用電話番号の一例を示す図である。
【図４】本形態における通信方法のうち、データ管理部における携帯電話の管理処理を説明するためのフローチャートである。
【図５】本形態における通信方法のうち、携帯電話から発信要求があった際の処理を説明するためのフローチャートである。
【図６】図５を用いて説明したステップＳ１３の処理の詳細を説明するためのフローチャートである。
【発明を実施するための形態】
【００１２】
以下に、本発明の実施の形態について図面を参照して説明する。
【００１３】
図１は、本発明の無線基地局が設けられた通信システムの一形態を示す図である。
【００１４】
本形態は図１に示すように、本発明の無線基地局１００と、携帯電話２００−１〜２００−３と、端末４００と、ネットワーク５００とから構成されている。なお、図１には、携帯電話の数が３台である形態を例に挙げたが、その数は限定しない。
【００１５】
無線基地局１００は、会社や自宅等の屋内に設置され、一般的な屋外に設置される無線基地局よりも小型であり、会社や自宅等の内部の限られた範囲であるセル３００（フェムトセル）を通信エリアとしてカバーするフェムト基地局である。また、無線基地局１００は、セル３００内に位置する携帯電話との間で無線通信を行い、セル３００内に位置する携帯電話を制御する。
【００１６】
図２は、図１に示した無線基地局１００の内部構成の一例を示す図である。
【００１７】
図１に示した無線基地局１００には図２に示すように、データ管理部１０１と、呼制御部１０２とが設けられている。なお、図２には、図１に示した無線基地局１００の構成要素のうち、本発明に係わる構成要素のみを示した。
【００１８】
データ管理部１０１は、あらかじめ設定された複数の専用電話番号を管理する。このとき、データ管理部１０１は、複数の専用電話番号を、それぞれが現在使用中であるか否かを示す情報と対応付けて管理する。
【００１９】
また、データ管理部１０１は、呼制御部１０２から専用電話番号が要求されたとき、専用電話番号を呼制御部１０２へ通知する。このとき、データ管理部１０１は、複数の専用電話番号の中から現在使用中ではない専用電話番号を呼制御部１０２へ通知する。なお、現在使用中ではない専用電話番号が複数ある場合は、データ管理部１０１は、現在使用中ではない専用電話番号すべてを呼制御部１０２へ通知する。
【００２０】
また、データ管理部１０１は、呼制御部１０２から専用電話番号が要求されたとき、複数の専用電話番号の中に現在使用中ではない専用電話番号がない場合、その旨を呼制御部１０２へ通知する。
【００２１】
また、データ管理部１０１は、無線基地局１００がカバーするセル３００内に位置する携帯電話２００−１〜２００−３によって実施される位置登録により携帯電話２００−１〜２００−３固有に付与された電話番号等の情報を取得して管理する。また、データ管理部１０１は、携帯電話２００−１〜２００−３が通信中であるかどうか、セル３００内に在圏中（無通信）であるかどうかの情報も管理する。
【００２２】
また、データ管理部１０１は、携帯電話２００−１〜２００−３の情報を管理する際、携帯電話２００−１〜２００−３が使用している専用電話番号もともに管理する。
【００２３】
図３は、図２に示したデータ管理部１０１が管理する専用電話番号の一例を示す図である。
【００２４】
図２に示したデータ管理部１０１には図３に示すように、あらかじめ設定された複数の専用電話番号と、その専用電話番号それぞれが使用中か未使用であるかを示す情報とが対応付けられて管理されている。この対応付けは、データ管理部１０１が有するメモリ等の記憶媒体に記憶されている。
【００２５】
例えば、専用電話番号「ＸＸＸ−ＸＸＸＸ−ＸＸＸＸ」と使用／未使用「使用中」とが対応付けられて管理されている。これは、「ＸＸＸ−ＸＸＸＸ−ＸＸＸＸ」である専用電話番号は、現在使用中（接続中）であることを示している。また、専用電話番号「ＹＹＹ−ＹＹＹＹ−ＹＹＹＹ」と使用／未使用「未使用」とが対応付けられて管理されている。これは、「ＹＹＹ−ＹＹＹＹ−ＹＹＹＹ」である専用電話番号は、現在使用（接続）しておらず、使用可能であることを示している。
【００２６】
呼制御部１０２は、セル３００内に位置する携帯電話（例えば、携帯電話２００−１）から端末４００へ発信があった際、データ管理部１０１へ専用電話番号を要求する。
【００２７】
また、呼制御部１０２は、データ管理部１０１から通知されてきた専用電話番号を用いて、携帯電話２００−１と端末４００とを接続する。
【００２８】
また、呼制御部１０２は、データ管理部１０１から通知されてきた専用電話番号が複数ある場合、その中から任意の１つの専用電話番号を選択し、選択した専用電話番号を用いて、携帯電話２００−１と端末４００とを接続する。この場合、選択した専用電話番号をデータ管理部１０１へ通知する。
【００２９】
また、呼制御部１０２は、データ管理部１０１から現在使用中ではない専用電話番号がない旨が通知されてきた場合、携帯電話２００−１へ発信ができない旨を通知する。
【００３０】
また、呼制御部１０２は、携帯電話２００−１と携帯電話２００−１の発信先である端末４００とを接続する際、携帯電話２００−１にあらかじめ付与されている固有の電話番号を選択した専用電話番号に書き換えて、書き換えた専用電話番号を用いて、携帯電話２００−１と携帯電話２００−１の発信先である端末４００とを接続する。つまり、端末４００へ通知する発信元の電話番号を携帯電話２００−１にあらかじめ付与されている固有の電話番号から専用電話番号へ書き換える。
【００３１】
携帯電話２００−１〜２００−３は、無線基地局１００がカバーするセル３００内に位置し、それぞれあらかじめ付与されている固有の電話番号を持つ移動可能な一般的な電話機である。また、携帯電話２００−１〜２００−３は、無線基地局１００に対して、携帯電話２００−１〜２００−３の位置登録を実施する。
【００３２】
セル３００は、無線基地局１００が無線通信可能な通信範囲である。
【００３３】
端末４００は、無線基地局１００がカバーするセル３００以外に位置する、携帯電話２００−１〜２００−３の発信先の端末である。端末４００は、携帯電話であっても良いし、固定電話であっても良く、ネットワーク５００を介して携帯電話２００−１〜２００−３との間で通信が可能なものであれば良い。
【００３４】
ネットワーク５００は、無線基地局１００と端末４００とを接続する一般的な通信ネットワークである。
【００３５】
以下に、本形態における通信方法について説明する。まずは、本形態における通信方法のうち、データ管理部１０１における携帯電話２００−１〜２００−３の管理処理について説明する。
【００３６】
図４は、本形態における通信方法のうち、データ管理部１０１における携帯電話２００−１〜２００−３の管理処理を説明するためのフローチャートである。
【００３７】
まず、呼制御部１０２から携帯電話２００−１〜２００−３の制御結果が通知されると（ステップＳ１）、当該制御が、「位置登録追加」であるか、「接続／切断」であるか、「位置登録削除」であるかが判断される（ステップＳ２）。
【００３８】
当該制御が、「位置登録追加」であると判断された場合（ステップＳ３）、位置登録成功時の新規携帯電話の追加が行われる（ステップＳ４）。つまり、位置登録に成功した携帯電話が、データ管理部１０１に登録され、データ管理部１０１の管理対象となる。
【００３９】
また、当該制御が、「接続／切断」であると判断された場合（ステップＳ５）、接続時に使用中状態、切断時に未使用状態への状態推移と使用する無線基地局１００の専用電話番号の追加が行われる（ステップＳ６）。
また、当該制御が、「位置登録削除」であると判断された場合（ステップＳ７）、位置情報削除時の既存携帯電話の情報の削除が行われる（ステップＳ８）。
【００４０】
次に、本形態における通信方法のうち、携帯電話２００−１〜２００−３から発信要求があった際の処理について説明する。
【００４１】
図５は、本形態における通信方法のうち、携帯電話２００−１〜２００−３から発信要求があった際の処理を説明するためのフローチャートである。ここでは、携帯電話２００−１から端末４００への発信要求があった場合を例に挙げて説明する。また、携帯電話２００−１にあらかじめ付与されている固有の電話番号が「ＺＺＺ−ＺＺＺＺ−ＺＺＺＺ」である場合を例に挙げて説明する。
【００４２】
まず、携帯電話２００−１からの発信要求が呼制御部１０２にて受信されると（ステップＳ１１）、呼制御部１０２からデータ管理部１０１へ使用可能な専用電話番号が要求される（ステップＳ１２）。
【００４３】
呼制御部１０２からデータ管理部１０１へ使用可能な専用電話番号が要求されると、データ管理部１０１にて所定の処理が行われる（ステップＳ１３）。
【００４４】
図６は、図５を用いて説明したステップＳ１３の処理の詳細を説明するためのフローチャートである。
【００４５】
ステップＳ１２にて、呼制御部１０２からデータ管理部１０１へ使用可能な専用電話番号が要求されると、データ管理部１０１にて管理している専用電話番号の中に、使用可能な専用電話番号があるかどうかが判断される（ステップＳ２１）。具体的には、図３に示した対応付けの中に、「使用／未使用」が「未使用」になっている専用電話番号がある場合、使用可能な専用電話番号があると判断される。一方、「使用／未使用」が「未使用」になっている専用電話番号がない場合、使用可能な専用電話番号はないと判断される。
【００４６】
データ管理部１０１にて管理している専用電話番号の中に、使用可能な専用電話番号があると判断されると、当該使用可能な専用電話番号（「使用／未使用」が「未使用」になっている専用電話番号）がデータ管理部１０１から呼制御部１０２へ通知される（ステップＳ２２）。なお、このとき、使用可能な専用電話番号が複数ある場合は、使用可能な専用電話番号すべてがデータ管理部１０１から呼制御部１０２へ通知される。
【００４７】
一方、データ管理部１０１にて管理している専用電話番号の中に、使用可能な専用電話番号がないと判断されると、使用可能な専用電話番号がない旨がデータ管理部１０１から呼制御部１０２へ通知される（ステップＳ２３）。
【００４８】
使用可能な専用電話番号がデータ管理部１０１から呼制御部１０２へ通知されると（ステップＳ１４のＹｅｓ）、通知されてきた専用電話番号の中から任意の１つの専用電話番号が呼制御部１０２にて選択される（ステップＳ１５）。ここでの選択アルゴリズムについては特に規定しない。また、データ管理部１０１から呼制御部１０２へ通知されてきた専用電話番号が１つである場合は、ステップＳ１５の処理は行われない。
【００４９】
すると、選択された専用電話番号が呼制御部１０２からデータ管理部１０１へ通知される（ステップＳ１６）。その後、データ管理部１０１では、呼制御部１０２から通知されてきた選択された専用電話番号の「使用／未使用」が「未使用」から「使用中」へ切り替えられて管理される。
【００５０】
また、呼制御部１０２にて、選択された専用電話番号を用いて、携帯電話２００−１と端末４００との接続処理が行われる（ステップＳ１７）。このとき、選択された専用電話番号が「ＹＹＹ−ＹＹＹＹ−ＹＹＹＹ」であるとすると、端末４００へ通知する発信元の電話番号が、携帯電話２００−１の電話番号「ＺＺＺ−ＺＺＺＺ−ＺＺＺＺ」から選択された専用電話番号「ＹＹＹ−ＹＹＹＹ−ＹＹＹＹ」に書き換えられて接続処理が行われる。
【００５１】
一方、使用可能な専用電話番号がない旨がデータ管理部１０１から呼制御部１０２へ通知されると（ステップＳ１４のＮｏ）、携帯電話２００−１へ発信ができない（接続ができない）旨が通知される（ステップＳ１８）。
【００５２】
このように、携帯電話２００−１〜２００−３からの発信メッセージを受信した無線基地局１００（フェムト基地局）において、メッセージ内に設定されている携帯電話２００−１〜２００−３にあらかじめ付与されている固有の電話番号を、無線基地局１００（フェムト基地局）に割り当てられた専用電話番号に書き換えることで、利用者が使用する携帯電話の制限を解除することができる。
【００５３】
また、フェムト基地局のソフトウェアに本発明の機能を実装させる事により、フェムト基地局配下に在圏している携帯電話から発信することが可能となるため、固定電話、子機が不要となる。
【００５４】
上述した無線基地局１００に設けられた各構成要素が行う処理は、目的に応じてそれぞれ作製された論理回路で行うようにしても良い。また、処理内容を記述したプログラムを無線基地局１００にて読取可能な記録媒体に記録し、この記録媒体に記録されたプログラムを無線基地局１００に読み込ませ、実行するものであっても良い。無線基地局１００にて読取可能な記録媒体とは、フロッピー（登録商標）ディスク、光磁気ディスク、ＤＶＤ、ＣＤなどの移設可能な記録媒体の他、無線基地局１００に内蔵されたＲＯＭ、ＲＡＭ等のメモリやＨＤＤ等を指す。この記録媒体に記録されたプログラムは、無線基地局１００に設けられたＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【符号の説明】
【００５５】
１００    無線基地局
１０１    データ管理部
１０２    呼制御部
２００−１〜２００−３    携帯電話
３００    セル
４００    端末
５００    ネットワーク
【図１】
2011120136.tif 000003
【図２】
2011120136.tif 000004
【図３】
2011120136.tif 000005
【図４】
2011120136.tif 000006
【図５】
2011120136.tif 000007
【図６】
2011120136.tif 000008